(57)【特許請求の範囲】
【請求項１】
通信ケーブルを介して外部装置とデータ通信を行うと共に、上記通信ケーブルを介して上記外部装置からの電力供給を受けることが可能なデータ処理装置において、
該データ処理装置の所定の機能を使用するか否かを選択する機能選択手段と、
上記選択手段の選択結果に応じて上記電力供給を受ける際の最大消費電流値を選択する最大消費電流設定手段と、
上記設定された最大消費電流値を上記外部装置に送信する送信手段と、
自己電源と、
上記所定機能を使用する際に自己電源から電力を供給するか否かを選択する電源選択手段とを具備し、
上記最大消費電流設定手段は上記機能選択手段の選択結果と上記電源選択手段の選択結果とから上記最大消費電流値を設定することを特徴とするデータ処理装置。
【請求項２】
上記選択手段は、該データ処理装置に内蔵されているスピーカを使用するか否かを選択することを特徴とする請求項１に記載のデータ処理装置。
【請求項３】
さらに、上記電源選択手段により、上記所定機能を使用する際に自己電源から電力を供給するように選択されたときに、上記自己電源が非動作状態のときには、上記所定機能の使用を禁止する禁止手段を具備することを特徴とする請求項１に記載のデータ処理装置。
【請求項４】
上記禁止手段は、上記所定機能の使用禁止後、上記自己電源が非動作状態から動作状態に復帰したときには、上記所定機能の使用禁止を解除することを特徴とする請求項３に記載のデータ処理装置。
【請求項５】
上記自己電源は、該データ処理装置内蔵の内蔵電源と外部から供給される外部電源とを有し、上記電源選択手段により上記所定機能を使用する際に自己電源から電力を供給するように選択されたときに、上記自己電源が上記内蔵電源を使用して電力を供給している場合には、上記所定機能の使用を禁止する禁止手段を具備することを特徴とする請求項１に記載のデータ処理装置。
【請求項６】
上記通信ケーブルは、ＵＳＢケーブルであることを特徴とする請求項１に記載のデータ処理装置。
【発明の詳細な説明】
【０００１】
【発明の属する技術分野】
本発明は、通信ケーブルを介して外部装置とデータ通信を行うと共に、上記通信ケーブルを介して上記外部装置からの電力供給を受けることが可能なデータ処理装置に関するものである。
【０００２】
【従来の技術】
近年、パーソナルコンピュータ（以下、ＰＣと略す。）と周辺機器との接続を行う際に、いわゆるＵＳＢという規格が多く用いられている。このＵＳＢ規格では、ＰＣと周辺機器との間でデータのやりとりを行うだけでなく、ＰＣから周辺機器に対して電力を供給することができるようになっている。そして、この電力供給の際、周辺機器側からＰＣに対して最大消費電流値を送信する。より具体的な最大消費電流値としては１００ｍＡと５００ｍＡの二種類が規定されている。ＰＣ側ではこの最大消費電流値を受信し、その最大消費電流を供給可能か否かを判定し、周辺機器との接続の可否を判定し、その後の処理を行う。
【０００３】
【発明が解決しようとする課題】
上述のようなＵＳＢを用いて、例えば周辺機器としてスピーカを備えた音声再生装置をＰＣに接続する場合を考えてみる。ＰＣと接続した状態でＰＣからの電源供給によってスピーカから音を再生する、いわゆるＵＳＢスピーカとして動作させるためには、ある程度電力を必要とするので、最大消費電流値を５００ｍＡと設定してＰＣへデータを送信して、ＰＣとの接続を図ることになる。そのような場合、例えば通常のデスクトップタイプやノート型のＰＣでは特に問題とならないが、ハンドヘルド型、あるいはＰＤＡ等の小型のＰＣと接続を図った場合、これらの小型ＰＣには周辺機器に対して５００ｍＡの電流を供給する能力を備えたものは少なく、最大消費電流値を１００ｍＡと設定している場合が多い。そのため、音声再生装置との接続が拒絶されてしまうことになる。
【０００４】
一方、音声再生装置とＰＣとの間でデータのやりとりだけを行いたい場合にはスピーカを駆動する必要が無いので、それほどＰＣから供給される電力を必要とせず、最大消費電流値を１００ｍＡとしても問題ない場合がある。しかしながら、上述の理由から最大消費電流を５００ｍＡと設定してしまっているため、音声再生装置と小型ＰＣとの間では、実際にはデータ通信する能力があるにも関わらず、データ通信を行うことができなかった。
【０００５】
本発明は、上記した事情に鑑みてなされたもので、通信ケーブルを介して電力を供給する能力が低い外部装置に対してもデータ通信を行うことが可能なデータ処理装置を提供することを目的とする。
【０００６】
【課題を解決するための手段】
上記目的を達成するために、第１の発明では、通信ケーブルを介して外部装置とデータ通信を行うと共に、上記通信ケーブルを介して上記外部装置からの電力供給を受けることが可能なデータ処理装置において、該データ処理装置の所定の機能を使用するか否かを選択する機能選択手段と、上記選択手段の選択結果に応じて上記電力供給を受ける際の最大消費電流値を選択する最大消費電流設定手段と、上記設定された最大消費電流値を上記外部装置に送信する送信手段と、自己電源と、上記所定機能を使用する際に自己電源から電力を供給するか否かを選択する電源選択手段とを具備し、上記最大消費電流設定手段は上記機能選択手段の選択結果と上記電源選択手段の選択結果とから上記最大消費電流値を設定するデータ処理装置が提供される。
【０００７】
また、第２の発明では、第１の発明で提供されるデータ処理装置において、上記選択手段は、該データ処理装置に内蔵されているスピーカを使用するか否かを選択するデータ処理装置が提供される。
【０００８】
また、第３の発明では、第１の発明で提供されるデータ処理装置において、さらに、上記電源選択手段により、上記所定機能を使用する際に自己電源から電力を供給するように選択されたときに、上記自己電源が非動作状態のときには、上記所定機能の使用を禁止する禁止手段を具備するデータ処理装置が提供される。また、第２の発明では、第１の発明で提供されるデータ処理装置において、上記選択手段は、該データ処理装置に内蔵されているスピーカを使用するか否かを選択するデータ処理装置が提供される。
【０００９】
また、第４の発明では、第３の発明で提供されるデータ処理装置において、上記禁止手段は、上記所定機能の使用禁止後、上記自己電源が非動作状態から動作状態に復帰したときには、上記所定機能の使用禁止を解除するデータ処理装置が提供される。
【００１０】
また、第５の発明では、第１の発明で提供されるデータ処理装置において、上記自己電源は、該データ処理装置内蔵の内蔵電源と外部から供給される外部電源とを有し、上記電源選択手段により上記所定機能を使用する際に自己電源から電力を供給するように選択されたときに、上記自己電源が上記内蔵電源を使用して電力を供給している場合には、上記所定機能の使用を禁止する禁止手段を具備するデータ処理装置が提供される。
【００１１】
また、第６の発明では、第１の発明で提供されるデータ処理装置において、上記通信ケーブルは、ＵＳＢケーブルであるデータ処理装置が提供される。
【００１２】
【発明の実施の形態】
以下、図面を参照して、本発明の実施の形態について説明する。
図１は本発明の第１の実施の形態にかかるデータ処理装置としての音声記録再生装置の構成を示すブロック図である。
【００１３】
まず、録音の際の信号の流れに沿って各部の説明を行う。図１において、マイクロホン１は外部から入力される音声を電気信号に変換する。電気信号に変換れさた音声信号はアンプ（ＡＭＰ）２において増幅され、低域通過フィルタ（ＬＰＦ）３において、不要な高周波成分がカットされ、アナログ／デジタル（Ａ／Ｄ）変換回路４においてデジタル信号に変換され、デジタル信号処理部（ＤＳＰ）５へ出力される。
【００１４】
ＤＳＰ５では、入力されたデジタル信号を符号化データに圧縮し、本音声記録再生装置の全体の制御を司る主制御回路（ＣＰＵ）６の制御の下、フラッシュメモリ等で構成される記録媒体７に格納される。
【００１５】
一方、再生の際は、まず、ＣＰＵ６の制御の下、記録媒体７に格納されている符号化データが読み出され、ＤＳＰ５において符号化データを復号化し、デジタル／アナログ（Ｄ／Ａ）コンバータ８において、復号化されたデジタル信号をアナログ信号に変換し、低周波通過フィルタ（ＬＰＦ）９にて不要な高周波成分をカットした後、アンプ（ＡＭＰ）１０にて信号増幅し、スピーカ１１にて電気信号を音声に変換し、音声を再生する。
【００１６】
また、ＣＰＵ６には他にも様々な回路が接続されている。
ＣＰＵ６は、ＵＳＢコントローラ／ドライバ１５、外部装置としてのパーソナルコンピュータ（ＰＣ；不図示）と接続するためのＵＳＢコネクタ１６を介し、データ通信を行う。また、ＵＳＢコネクタ１６を介して、ＰＣから本音声記録再生装置に対して電力の供給が可能なように構成されており、ＵＳＢコネクタ１６を介して供給された電力は電源回路１２に供給れさる。
【００１７】
なお、ＵＳＢコネクタ１６を介してＰＣから供給される電力は、電圧が５Ｖ±５％である。そして、供給の際の最大消費電流値は、１００ｍＡ、あるいは５００ｍＡ等、ＣＰＵ６からＵＳＢコントローラ／ドライバ１５、ＵＳＢコネクタ１６を介してＰＣへ送信し、それに応じてＰＣ側で処理がなされ、接続を確立し、電力の供給が行われる。ここで、ＰＣ側に要求された電力供給能力が無い場合には、該音声記録再生装置とＰＣとの間に接続が確立されず、従ってデータの通信は行われない。
【００１８】
電源回路１２は本音声記録再生装置を動作させるために各部に電源を供給するための回路である。この電源回路１２には、本音声記録再生装置とは別体のＡＣアダプター等を用いて家庭用電源などから電力を得る外部電源１３および本音声記録再生装置本体内に装填される電池から電力を得る内蔵電源１４等の自己電源、およびＵＳＢコネクタ１６が接続されており、ＣＰＵ６の制御の下、これらの一つまたは複数を選択的に使用して本音声記録再生装置の各部へ電力を供給する。
【００１９】
操作部材１７は、本音声記録再生装置本体外装に設置され、操作者が本音声記録再生装置に対して動作を指示するためのものであり、録音ボタン、再生ボタン、停止ボタン、サーチ（＋／−）ボタン、消去ボタン、メニューボタン、音量つまみ、パワースイッチ等で構成される。
【００２０】
また、本音声記録再生装置は、いわゆるＵＳＢスピーカとしての動作が可能である（ＵＳＢスピーカ機能）。これは、本音声記録再生装置とＰＣとの間でＵＳＢコネクタ１６により接続を確立した上で、デジタル信号で表現された音声データ（例えばＰＣＭデータ）をＰＣから本音声データ記録再生装置へＵＳＢコネクタ１６を介して送信し、その音声データをそのままＤＳＰ５を介して（必要に応じてＤＳＰ５にて復号化等を行い、）、Ｄ／Ａコンバータ８に供給し、その後は上述の再生の際と同様の処理を行いスピーカ１１から音声を出力するという機能である。
【００２１】
なお、このＵＳＢスピーカ機能を使用するか否かを設定することが可能で、その設定方法は、操作部材１７のメニューボタンおよびサーチ（＋／−）ボタンを操作してＵＳＢスピーカ機能の設定項目を表示させ、ここでＯＮ／ＯＦＦの設定をサーチ（＋／−）ボタンを用いて行うようにする。なお、設定した内容はＣＰＵ６に接続されている不図示のＥＥＰＲＯＭで構成される設定保存用の不揮発性のメモリに格納される。
【００２２】
次に、上述のように構成された音声記録再生装置をＰＣに接続する際の動作を図２のフローチャート図を用いて説明する。
ＵＳＢ接続ケーブルをＵＳＢコネクタ１６に装着し、ＰＣと接続すると本フローチャートが実行される。ＰＣとの接続が検出されると、まず、本音声記録再生装置が動作中であるかどうかを判定する（ステップＳ１０１）。ここで言う動作とは録音や再生、あるいは早送、早戻等の動作のことを言う。もし、これらの動作が行われていた場合には、これらの動作が終了してから次のステップに移行する。
【００２３】
ステップＳ１０１において、本音声記録再生装置が動作中ではない、と判定された場合には、設定記録用メモリの中に記憶されているＵＳＢスピーカ機能の設定がどうなっているのかを読みとる（ステップＳ１０２）。そして、ここでＵＳＢスピーカ機能の設定がＯＦＦ、即ちＵＳＢスピーカ機能を使用しない、という設定になっていると判定された場合には、電力をそれほど必要としないため、ＰＣ側に要求する最大消費電流値を１００ｍＡと設定し、ＰＣへデータを送信する（ステップＳ１０４）。そして、ステップＳ１０６へ進み、ＰＣと接続を確立し、設定された最大消費電流値の範囲内でＰＣから電力供給を受けながら、データ通信等の諸処理を行う。
【００２４】
一方、ステップＳ１０３において、ＵＳＢスピーカ機能がＯＮ、即ちＵＳＢスピーカ機能を使用する、という設定になっていると判定された場合には、スピーカを駆動する際に特にアンプ１０において、より多くの電力を必要とするため、ＰＣ側に要求する最大消費電流値を５００ｍＡと設定し、ＰＣへデータを送信し（ステップＳ１０５）、ステップＳ１０６へ進む。
【００２５】
上述のような構成を採ることで、ＵＳＢスピーカ機能をＯＮ／ＯＦＦすることによって、デスクトップＰＣやノート型等の電力供給能力が高いものについては、ＰＣとの間でデータ通信等の処理とＵＳＢスピーカ機能の使用が可能となり、ＰＤＡやハンドヘルドＰＣ等の電力供給能力の低いものについては、データ通信だけでも行うことができるようになる。
【００２６】
次に本発明の第２の実施の形態について図３を用いて説明する。なお、第２の実施の形態における音声記録再生装置の構成は図１とほぼ同様のため、異なる部分についてのみ説明を行い、他は省略する。
【００２７】
第１の実施の形態の音声記録再生装置では、メニューボタンおよびサーチ（＋／−）ボタンを操作することによってＵＳＢスピーカ機能のＯＮ／ＯＦＦ設定を行ったが、第２の実施の形態の音声記録再生装置では、それに加え、メニューボタンおよびサーチ（＋／−）ボタンを操作することによってＰＣと接続の際の電源を自己電源、即ち外部電源１３もしくは内蔵電源１４を使用するか、あるいはＵＳＢコネクタ１６を介してＰＣから供給される電力を使用するかを設定するようになっている。そして、その設定情報は不図示の設定記録用メモリに格納される。
【００２８】
図３は、第２の実施の形態によるデータ処理装置としての音声記録再生装置をＰＣに接続する際の動作を示すフローチャート図である。ＵＳＢ接続ケーブルをＵＳＢコネクタ１６に装着し、ＰＣと接続すると本フローチャートが実行される。ＰＣとの接続が検出されると、まず、本音声記録再生装置が動作中であるかどうかを判定する（ステップＳ２０１）。ここで言う動作とは録音や再生、あるいは早送、早戻等の動作のことを言う。もし、これらの動作が行われていた場合には、これらの動作が終了してから次のステップに移行する。
【００２９】
ステップＳ２０１において、本音声記録再生装置が動作中ではない、と判定された場合には、設定記録用メモリの中に記憶されているＰＣ接続時の電源の設定がどうなっているのかを読み取る（ステップＳ２０２）。そして、ここでＰＣ接続時の電源の設定が自己電源使用、即ち外部電源１３あるいは内蔵電源１４を使用する、という設定になっていると判定された場合には、ＰＣから供給される電力をそれほど必要としないため、ＰＣ側に要求する最大消費電流値を１００ｍＡと設定し、ＰＣへデータを送信する（ステップＳ２０４）。そして、ステップＳ２０６へ進み、ＰＣと接続を確立し、設定された最大消費電流値の範囲内でＰＣから電力供給を受けながら、データ通信等の諸処理を行う。
【００３０】
一方、ステップＳ２０３において、ＰＣ接続時の電源の設定が、ＰＣから供給される電力を使用する、という設定になっていると判定された場合には、データ通信以外にもスピーカを駆動する際に特にアンプ１０において、より多くの電力を必要とするため、ＰＣ側に要求する最大消費電流値を５００ｍＡと設定し、ＰＣへデータを送信し（ステップＳ２０５）、ステップＳ２０６へ進む。
【００３１】
上述のような構成を採ることにより、ＰＤＡやハンドヘルドＰＣ等の電力供給能力の低いものと接続した場合でも、ＵＳＢスピーカ機能等の電力消費量の比較的多い機能を使用することができ、また、電力供給能力の高いＰＣと接続した場合にはＰＣ側から電力を供給することにより、電池等の内蔵電源の消費を抑えることができる。
【００３２】
次に本発明の第３の実施の形態について図４を用いて説明する。なお、第３の実施の形態における音声記録再生装置の構成は第２の実施の形態の音声記録再生装置とほぼ同様のため、異なる部分についてのみ説明を行い、他は省略する。
【００３３】
図４は本発明の第３の実施の形態における音声記録再生装置のＰＣへの接続の際の動作を示すフローチャート図である。ＵＳＢ接続ケーブルをＵＳＢコネクタ１６に装着し、ＰＣと接続すると本フローチャートが実行される。
【００３４】
ＰＣとの接続が検出されると、まず、本音声記録再生装置が動作中であるかどうかを判定する（ステップＳ３０１）。ここで言う動作とは録音や再生、あるいは早送、早戻等の動作のことを言う。もし、これらの動作が行われていた場合には、これらの動作が終了してから次のステップに移行する。
【００３５】
ステップＳ３０１において、本音声記録再生装置が動作中ではない、と判定された場合には、設定記録用メモリの中に記憶されているＵＳＢスピーカ機能のＯＮ／ＯＦＦの設定、ＰＣ接続時の電源の設定を読みとる（ステップＳ３０２）。そして、ここでＵＳＢスピーカ機能の設定がＯＦＦ、即ちＵＳＢスピーカ機能を使用しない、という設定になっていると判定された場合には、電力をそれほど必要としないため、ＰＣ側に要求する最大消費電流値を１００ｍＡと設定し、ＰＣへデータを送信する（ステップＳ３０７）。そして、ステップＳ３０８へ進み、ＰＣと接続を確立し、設定された最大消費電流値の範囲内でＰＣから電力供給を受けながら、データ通信等の諸処理を行う。
【００３６】
一方、ステップＳ３０３において、ＵＳＢスピーカ機能がＯＮ、即ちＵＳＢスピーカ機能を使用する、という設定になっていると判定された場合には、次にＰＣ接続時の電源の設定が自己電源を使用するか、あるいはＰＣから供給される電力を使用するかを判定する（ステップＳ３０４）。ここで自己電源を使用しない、即ち、ＰＣから供給される電力を使用する、と判定された場合には、スピーカを駆動する際に特にアンプ１０において、より多くの電力を必要とするため、ＰＣ側に要求する最大消費電流値を５００ｍＡと設定し、ＰＣへデータを送信し（ステップＳ３１０）、ステップＳ３０８へ進む。
【００３７】
ステップＳ３０４において、ＰＣ接続時に自己電源を使用する、と判定された場合には、さらに、自己電源がＯＦＦとなっているかどうかを検出する（ステップＳ３０５）。ここで、自己電源がＯＦＦと判定された場合、即ち、電池が装填されておらず、外部電源１３からの電力供給も無い場合、あるいは操作スイッチ１７のパワースイッチがＯＦＦとなっている場合は、ＰＣと接続することを優先するため、ＵＳＢスピーカ機能をＯＦＦに再設定し（ステップＳ３０６）、ＰＣ側に要求する最大消費電流値を１００ｍＡと設定し、ＰＣへデータを送信し（ステップＳ３０７）、ステップＳ３０８へ進む。
【００３８】
一方、ステップＳ３０５において、自己電源がＯＮしていると判定された場合、さらに、外部電源１３を使用しているのかあるいは内蔵電源１４を使用しているのかを検出する（ステップＳ３０９）。ここで、内蔵電源１４が使用されていると判定された場合には、ＵＳＢスピーカ機能を使用すると電力を消耗するので、内蔵電源１４、つまり電池を節約するためステップＳ３０６に移行し、ＵＳＢスピーカ機能をＯＦＦに再設定する。また、内蔵電源１４が使用されていないと判定された場合には、ステップＳ３０７へ進み、前述の処理を行う。
【００３９】
上述のような構成を採ることにより、ＰＤＡやハンドヘルドＰＣ等の電力供給能力の低いものと接続した場合でも、電池等の内蔵電源の消費を抑えつつ、ＵＳＢスピーカ機能等の電力消費量の比較的多い機能を使用することができる。
【００４０】
なお、本発明の実施の形態の説明において、電力消費量の比較的多い機能としてＵＳＢスピーカ機能を例にして説明したが、これに限られることなく、例えばＰＣカメラ等の機能でも良い。また、ＵＳＢ接続についても、通信ケーブルを介して外部装置とデータ通信を行うと共に、上記通信ケーブルを介して上記外部装置からの電力供給を受けることが可能な形態であればこれに限られることが無いことは勿論である。
【００４１】
【発明の効果】
以上詳述したように、本発明によれば、通信ケーブルを介して電力を供給する能力が低い外部装置に対してもデータ通信を行うことが可能なデータ処理装置を提供することができる。
【図面の簡単な説明】
【図１】本発明の一実施形態ある音声記録再生装置の構成を示すブロック図である。
【図２】本発明の第１の実施の形態の音声記録再生装置とＰＣとの接続動作を示すフローチャート図である。
【図３】本発明の第２の実施の形態の音声記録再生装置とＰＣとの接続動作を示すフローチャート図である。
【図４】本発明の第３の実施の形態の音声記録再生装置とＰＣとの接続動作を示すフローチャート図である。
【符号の説明】
１  マイクロホン
２  アンプ
３  低域通過フィルタ
４  アナログ／デジタル（Ａ／Ｄ）コンバータ
５  デジタル信号処理部（ＤＳＰ）
６  主制御回路（ＣＰＵ）
７  記録媒体
８  デジタル／アナログ（Ｄ／Ａ）コンバータ
９  低域通過フィルタ
１０  アンプ
１１  スピーカ
１２  電源回路部
１３  外部電源
１４  内蔵電源
１５  ＵＳＢコントローラ／ドライバ
１６  ＵＳＢコネクタ
１７  操作部材
【図１】
0004050924.tif 000002
【図２】
0004050924.tif 000003
【図３】
0004050924.tif 000004
【図４】
0004050924.tif 000005